(57)【要約】      （修正有）【課題】ブロックで組み立てられた造形物そのものを内部から発光させ格段の陳列効果を発揮でき、さらに変色や蓄光等の新たな手法を加味して格段に新しく見栄えのするディスプレー効果を実現した組立てブロックを提供する。【解決手段】アクリル等の透光性樹脂を主材料としその外周の包絡形状が略多角形や略円形に形成され、その面の内部から同外部周縁に向かい放射状の切り欠き状ミゾ部２を適宜数有する板状のブロック１０−１３を基本構造とし、ミゾ部は別の他の同様構造のブロックとその面もしくは同様にこれに設けられるミゾ部を介して互いに嵌め合わせわずかに、しまりバメ程度にしっかりと密着するように設定する。ブロック内部にＬＥＤ等光源４を内蔵させるとこれから出る光がこの嵌め合い接合部を通して容易に他方のブロック内に透過伝達されほかのブロックにも逐次伝達されて造形されたものがほぼ全体で発光する。【選択図】図２
0003193506.tif 000002
【実用新案登録請求の範囲】
【請求項１】
アクリルやポリカーボネイト等透明性の強い樹脂、もしくは透光性ＡＢＳ等の透光性樹脂を主材料としその外周の包絡形状が略多角形や略円形に形成される板状のブロックでその面の内部から同外部周縁に向かい放射状の切り欠き状ミゾ部を適宜数有し、このミゾ部は別の他の同様ブロックとその面もしくは同様にこれに設けられるミゾ部を介して互いに嵌め合わせ得るように相互のブロックの切り欠き状ミゾ部のミゾ幅を互いに嵌め合わせる相手のブロックの板厚とそれぞれほぼ等しくし、相互にミゾ部どうしもしくは一方のミゾ部と他方の面部が密着して嵌め合い所望の造形を構築できるようにしてなる組立てブロック。
【請求項２】
請求項１で述べる組み立てブロックの少なくとも１個の内部に、ＬＥＤ等発光する光源を設けこの光を他のブロックに伝達するようにしてなる組立てブロック。
【請求項３】
請求項１で述べる組み立てブロックでその外縁部やその表面に適宜面取り様コーナーカットあるいは切り欠きもしくは模様等を施しブロック内部に入った光がこれ等の屈折効果で漏出しその部分を他より明るく光らせるようにしてなる組み立てブロック。
【請求項４】
請求項１で述べる組み立てブロックで樹脂材料及び加工方法等を適宜用い、その透明性や透光性を保持しながら着色効果を発揮されるようにしてなる組立てブロック。
【請求項５】
請求項１で述べる組み立てブロックで樹脂材料に蓄光材料もしくは蛍光材料を適宜用い、その透明性や透光性を保持しながら蓄光効果もしくは蛍光効果を発揮されるようにしてなる組立てブロック。
【請求項６】
請求項５で述べる組み立てブロックでその内部に蓄光材料もしくは蛍光材料を励起して光らせる能力を有する可視光線ないし紫外線等の光を発するＬＥＤ等光源を予め設けるようにしてなる組み立てブロック。
【考案の詳細な説明】
【技術分野】
【０００１】本考案は、嵌め合わせ式組み立てブロック玩具に関するものである。
【背景技術】
【０００２】従来、組み立てブロック玩具は組立の単位となる形状に板状のものや、直方体、立方体あるいは円柱や多面角柱状のものを複数個用いてこれらを適宜接合し、多様な形状の構造体を形成させる玩具としてひろく普及している。それぞれの接合には通常その材料として用いられる樹脂、木材、紙あるいは粘土等から成るブロック表面に適宜凹凸部を設けこれらを互いに嵌め合うことを利用して接合したり、互いに添着できるカギ状突起とこれの受け穴をその表面に配設される布を設けたり磁力を用いたりしている。
【考案の開示】
【０００３】本考案はブロック玩具において透明性または透光性のある樹脂材料（以下透光性樹脂材料と言う）を用いた板状ブロックを基本構造体とし、その外周包絡形状は略多角形や略円形でその面の内部から外部周縁に向かい設けられる切り欠きミゾ部を介して他の同様板状ブロックと互いに嵌め合わせて多様な構造体を造形する際該ブロック内部光源からの発光もしくは外部からの入射光が該ミゾ部の他のブロックとの密着接合面を介して容易に他のブロックに伝達されこれ等複数のブロックが構成する造形物の全体もしくは部分を発光させるようにするものである。
【考案が解決しようとする課題】
【０００４】従来の組み立てブロック玩具は主に不透明性または不透光性な樹脂、木材、紙あるいは粘土等材料で構成され、複数のブロック固体は既述のように互いにそれぞれが嵌め合うこと等で組み立て造形できる。しかしながら通常上記材料による造形物を陳列し照明する際は外部の光源による照明に拠っていたが、明るさや美しさに改善の余地があった。本考案は透光性材料を用いたブロックで組み立てられた造形物そのものをその内部から鮮やかに明るく発光させる画期的なディスプレイ効果を実現しようとする。場合によってはこの透光性材料に着色したり蓄光材料や蛍光材料を加味したりして更に変化に富ませることもできる。
【課題を解決するための手段】
【０００５】本考案はアクリル、ポリカーボネイト、特殊なＡＢＳやＡＳ等の透光性樹脂を主材料としその外周の包絡形状が略多角形や略円形に形成され、その面の内部から同外部周縁に向かい放射状の切り欠き状ミゾ部を適宜数有する板状のブロックを基本構造とする。該ミゾ部は別の他の同様構造のブロックとその面もしくは同様にこれに設けられるミゾ部を介して互いに嵌め合わせ得るように相互のブロックの切り欠き状ミゾ部のミゾ幅を互いに嵌め合わせる相手のブロックの板厚とそれぞれほぼ等しくわずかにしまりバメ程度でしっかりと密着するように設定される。複数のブロックは相互のミゾ部どうしもしくは一方のミゾ部と他方の面部が嵌め合いこれ等を連続的に連結して所望の造形を構築できるがその際その造形物の少なくとも一個のブロック内部にＬＥＤ等光源を内蔵させておきこれから出る光がこの嵌め合い接合部を通して容易に他方のブロック内に透過伝達され更にこれに連結されるほかのブロックにも逐次伝達され造形されたものがほぼ全体に発光するようにする。もちろん該造形物の外部からこれに光をあててその内部を光が伝達して上述のように発光させたりしてもよい。
【０００６】上記の発光効果をより向上させるためにブロックの外縁部やその表面に適宜面取り様コーナーカットあるいは切り欠きもしくは模様等を施すとブロック内部に入った光がこれ等の屈折効果でそこから漏出しその部分が他より明るく光らせることができる。
【０００７】また、上記のブロックの材料に着色性の透光性樹脂を用いて選定された色で発光させたり、ブロック材料の透光性樹脂に蓄光材料あるいは蛍光材料を加味して暗所で自己発光させたりできる。
【考案の効果】
【０００８】複数の透光性樹脂材料のブロックを接続してその内部あるいは外部の光源からの光が互いの接触面を通して比較的遠くまで伝達されるようにするには、単純に該接触面をつき合わせるだけでなく、本考案のように互いに接するそれぞれのミゾ部どうしもしくは該ミゾ部と相手の面の嵌め合いをややしまりバメ程度にきつく設定してよく密着させると光の強度が減衰しにくくなる。また光源からの光は必ずしも発光方向への直進だけではなくいったんＬＥＤ等光源が内蔵されるブロック内で発光の後反射散乱してから該ミゾ部を介して他の方向に結合されるブロック方向にも伝達される。このため光の進行方向は多様となりその結果互いに連結するブロックの発光面積は広く大きくなる。さらに前述のようなコーナーカットや切り欠き等を適宜設けることで局部的により明るくできるので造形物のデザインや、アクセントを多様化できる。また発光の色を変えたり蓄光や蛍光も加味したりすれば最小限の光源光で相応の大きさの造形物を美しく光らせることができ簡易な構造で斬新なディスプレイ効果を得ることが可能となる。
【実施例】
【０００９】以下、本考案を図１から図２の応用実施例について説明する。図１は本考案による応用の代表例として４辺にコーナーカットを有する包絡形状が正方形（以下正方形と記す）ブロックを用いその正面図およびその側面図である。図２は前記同ブロックを同一形状で複数枚用いた時の組み立て時の構成の一例を示す図である。【００１０】本考案をまず応用実施例として便儀的に正方形のブロックで示す。その構造は図１に示すように主ブロック（１０）、それに設けられる切り欠き状のミゾ部（２）、該ブロックの外周の辺に設けられるカット部（３）および光源（４）から構成される。主ブロック（１０）はアクリル、ポリカーボネイト、透明ＡＢＳ等の透光性樹脂を材料に射出成型加工等で中実に形成され、その形状は正面から見て略正方形とする。この面上には互いに直角に４個の切り欠き状のミゾ部（２）が設けられそれぞれは正方形の周囲の４辺の各中央から同正方形の中心部方向に向かい幅（同図ｄ寸法）は板の厚み（同図Ｄ寸法）にほぼ等しいかわずかに小さく、長さすなわちミゾ部の奥行き（同図Ｌ寸法）は各辺の長さ（同図Ａ寸法）のほぼ４分の１、すなわち各辺から中心（Ｏで示す）に向かう長さ（Ａの２分の１）の半分（２分の１）で図１のような形状に形成される。本応用実施例では組み合わせる相手のブロックもすべてこれと同形状のブロックを用いるとする。この寸法組み合わせでは切り欠き状ミゾ部どうしは互いに各辺が相手ブロックの中心方向に向かう。【００１１】またカット部（３）は図１の側面図で示すようにその該主ブロック（１０）の平面部の表と裏の両面に対しそれぞれ角度Ｐおよび角度Ｑで面取り状にコーナーカットされその頭頂部は各辺の外周にほぼ一致する。同図１のＸ−Ｘ軸、Ｙ−Ｙ軸およびＺ−Ｚ軸はそれぞれ同主ブロック（１０）の上下、左右、厚み方向を示す。【００１２】前述の主ブロック（１０）のほぼ中央には光源（４）が内蔵され、ＬＥＤ等発光体を用いその電源は同じく内蔵の電池（図示せず）もしくは外部電源（図示せず）で駆動しその発停用スイッチ（図示せず）も場合により内蔵する。【００１３】図２は本考案の主ブロック（１０）の平面上の４個の切り欠き状ミゾ部（２）に直交して前記主ブロック（１０）と同じ形状で必ずしも光源を内蔵しない他ブロック（１１）、同（１２）等多くの他のブロックと連結して組み合わせた構成の応用例を示す。ここに各ブロックはいずれも互いに設けられた切り欠き状のミゾ部（２）どうしを嵌め合わせると相互の面が直交して連結される。また、ブロックどうしの嵌め合いは主に下記の二通りでなされるが、その代表例を同図の破線Ａ−Ｏ−Ｏ’−Ａで切った側断面（左辺）で示す。結合関係の一つは同図のブロック（１３）とブロック（１２）のそれぞれのミゾ部（２）どうしが嵌め合わされ互いの面を直交させて結合される状態で、また別の一つはブロック（１４）が前記ブロック（１２）と前者のミゾ部（２）が後者の面と嵌め合い互いの面を直交させて結合された状態でなされる。ここにブロック（１４）はブロック（１２）と自在な方向や場所で結合させることが可能で本ブロックの造形の自由度を向上させ得る。いずれの嵌め合わせにおいても既述のようにミゾ部（２）の幅ｄは板の厚みＤとほぼ等しいかやや小さくして「しまりバメ」のように互いにしっかりと密着させるように設定される。ただし嵌め合わされる板の面上に予め設けられた微細な凹凸や線状の模様等があってこれが互いの接合部の密着性を担保する場合はこの限りではないがこれもいわゆる「しまりバメ」の効果を有するものとみなし得る。図２にはこのような嵌め合わせにより他にも多くのブロックが連結され組み合わされる様子を破線で示す。【００１４】本考案において図１及び図２で見られるように各ブロックの組み合わせは立体的に自在に多方向に展開できる。ここに主ブロック（１０）の形状は本例の正方形以外に他の略矩形や略円形で大きさも異なってもミゾ部（２）が上述と同じように他のブロックと嵌め合うように構成すれば同じ効果が得られる。またミゾ部（２）の形状、数や方向も前記の嵌め合いが構成できれば本例と異なっても同様である。この結果多様な形状のブロックによる造形が可能となる。【００１５】以上により、主ブロック（１０）内の光源から出た光はこれとミゾ部（２）を介して嵌め合う接合面を通し他のブロック（１１）や（２２）等に伝達され、更に同様の作用によりこれ等と連結されるほかのブロックにも逐次伝達される。通常ブロック表面には若干のキズや凹凸あるいはよごれが存在し、特に工夫をしない場合でもその表面や端面からは光が漏出しブロック自体が明るく見えるが、本例のように各ブロックの周辺部にコーナーカットや切り欠きあるいはエッジ等による模様を設けると透光性樹脂の内部を通ってきた光はここで屈折したり反射したりして該樹脂の表面から充分に漏出しその箇所がより明るく光って見える。もちろん場合によりこれ等がなくてもかまわない。【００１６】なお、本考案におけるブロックのうち光源を有する主ブロック（１０）は一組の造形物に少なくとも１個設けることが好ましいが、光源（４）からの光路距離が長いほど光の強度が減衰するので造形物の大きさや光の強度の調整のために主ブロック（１０）を複数個適宜用いたり、これを用いず外部に別の光源を設けこの光を該造形物に入射させたりして発光させてもよい。【００１７】また樹脂材料は基本の無色だけでなく色つきの透光性材料を用いて所定の色の発光をさせたり、光源のＬＥＤを複数にして色を多色にしたり個々のＬＥＤが時間的に変色したりするようにすればより多彩な発光ディスプレイ効果が得られる。【００１８】このほか、透光性樹脂材料に蓄光材料もしくは蛍光材料を加味して夜間や暗部において蓄光発光や蛍光発光をさせたり、これ等を励起して積極的に光らせる紫外線等の波長の光を発光できるＬＥＤ等光源を予め内蔵させたりしても斬新な発光するブロック構造物を生成できる。
【図面の簡単な説明】
【００１９】
【図１】本考案に関わる代表例のブロックの正面図および側面図である。
【図２】本考案に関わる複数のブロックの嵌め合い組み合わせによる組み立て時応用例の正面図及び側面図である。
【符号の説明】
【００２０】（１０）主ブロック  （２）ミゾ部    （３）カット部  （４）光源
（１１）ブロック  （１２）ブロック（１３）ブロック  （１４）ブロック
【図１】
0003193506.tif 000003
【図２】
0003193506.tif 000004